(57)【要約】  【課題】  商品包装箱を複数の商品を陳列する陳列箱として兼用すると共に、箱内の複数の商品を最後まで見易くする。  【解決手段】  商品包装箱１２の本体箱１３内に複数の仕切壁１５を前後方向に所定間隔で配置して複数の収納スペース１６を仕切り形成し、各仕切壁１５を前後方向に折り畳み可能にする。本体箱１３内の各収納スペース１６に商品１１を１つずつ収納することで複数の商品１１を輸送時の振動・衝撃から保護する梱包箱として使用すると共に、商品１１を陳列する際には、商品１１を収納した本体箱１３を陳列棚等に載置することで複数の商品１１を前後方向に整列させた状態で陳列する陳列箱として兼用する。本体箱１３内の手前側の商品１１が売れて無くなる毎に、その後方の仕切壁１５を折り畳むことで後側の商品１１が仕切壁１５で隠れて見えなくなることを防止して、本体箱１３内の商品１１を最後まで見易くする。  【選択図】  図１
2007055653.tif 000002
【特許請求の範囲】
【請求項１】
複数の神具等の商品を収納する商品包装箱であって、
上面側が開口された本体箱と、該本体箱内に複数の収納スペースを仕切り形成するように該本体箱の前後方向に所定間隔で配置された仕切壁とを備え、
前記複数の収納スペースの各々に前記商品を１つずつ収納することで複数の商品を前後方向に整列状態で陳列する陳列箱として兼用される共に、前記仕切壁が１つずつ前後方向に折り畳み可能に設けられ、
前記本体箱の前面壁が側面壁よりも低くなるように形成されていることを特徴とする商品包装箱。
【請求項２】
前記仕切壁は、一枚の紙材を折り曲げることで複数の仕切壁が一体的に形成されていることを特徴とする請求項１に記載の商品包装箱。
【請求項３】
複数の神具等の商品を収納する商品包装箱であって、
上面側が開口された本体箱と、該本体箱内に複数の収納スペースを仕切り形成するように該本体箱の前後方向に所定間隔で配置された仕切壁とを備え、
前記複数の収納スペースの各々に前記商品を１つずつ収納することで複数の商品を前後方向に整列状態で陳列する陳列箱として兼用されると共に、前記仕切壁が１つずつ取り外し可能に設けられ、
前記本体箱の前面壁が側面壁よりも低くなるように形成されていることを特徴とする商品包装箱。
【発明の詳細な説明】
【技術分野】
【０００１】
本発明は、神具等の商品を収納する商品包装箱に関するものである。
【背景技術】
【０００２】
一般に、神具等の商品を店頭に陳列する際には、製造元や卸業者等から納入された包装箱から商品を１つずつ取り出して陳列棚等に並べるようにしている。しかし、包装箱から商品を１つずつ取り出して陳列棚等に所望の配列となるように１つずつ並べて陳列する作業は、非常に面倒であるばかりか、商品を間違えて並べたり、商品を誤って破損させてしまうおそれがある。
【０００３】
このような問題を解決する技術として、例えば、特許文献１（特開２００１−１９９４２８号公報）に記載されているように、包装箱内に仕切板を配置して複数の収納スペースを仕切り形成し、各収納スペースに商品を１つずつ収納することで、複数の商品を輸送時の振動・衝撃から保護する梱包用の箱として使用しながら、この箱を開封して陳列棚等に載置することで商品を整列状態で陳列する陳列箱として兼用するようにしたものがある。
【特許文献１】特開２００１−１９９４２８号公報（第２頁等）
【発明の開示】
【発明が解決しようとする課題】
【０００４】
しかし、包装箱内に仕切板で仕切り形成した各収納スペースに商品を収納した状態で陳列棚等に陳列した場合、その高さ位置等によっては、包装箱内のうち手前側の商品が売れて無くなったときに、その後側に商品が残っていても、その商品が仕切板で隠されてしまうため、後側に残された商品が見にくく、商品の展示効果が減少してしまうという欠点がある。
【０００５】
本発明は、このような事情を考慮してなされたものであり、従って本発明の目的は、商品を陳列する陳列箱として兼用することができると共に、箱内の商品を最後まで見易くすることができて、商品の展示効果を向上させることができる商品包装箱を提供することにある。
【課題を解決するための手段】
【０００６】
上記目的を達成するために、請求項１に係る発明は、神具等の商品を収納する商品包装箱であって、上面側が開口された本体箱と、該本体箱内に複数の収納スペースを仕切り形成するように該本体箱の前後方向に所定間隔で配置された仕切壁とを備え、前記複数の収納スペースの各々に前記商品を１つずつ収納することで複数の商品を前後方向に整列状態で複数の商品を前後方向に整列状態で陳列する陳列箱として兼用すると共に、仕切壁を１つずつ前後方向に折り畳み可能に設け、本体箱の前面壁を側面壁よりも低くするように形成したものである。
【０００７】
この構成では、本体箱内に仕切壁で仕切り形成した各収納スペースに商品を収納することで商品を搬送可能に保持する搬送用の包装箱として使用しながら、本体箱を陳列棚等に載置することで商品を整列状態で陳列する陳列箱として兼用することができる。しかも、仕切壁を１つずつ前後方向に折り畳み可能にしたので、本体箱内のうち手前側の商品が売れて無くなる毎に、その後方の仕切壁を折り畳むことで、後側の商品が仕切壁で隠されて見えなくなることを防止することができて、箱内の商品を最後まで見易くすることができ、商品の展示効果を向上させることができる。更に、本体箱の前面壁を側面壁よりも低くしたので、本体箱を比較的高い棚に陳列した場合でも、本体箱内の商品を前方から見易くすることができると共に、本体箱内の商品を前方から取り出し易くすることができる。
【０００８】
この場合、請求項２のように、仕切壁は、一枚の紙材を折り曲げることで複数の仕切壁を一体的に形成するようにしても良い。このようにすれば、段ボール紙等の紙材の折り曲げという簡単な方法で複数の仕切壁を一体的に形成することができ、製造・組立が容易である。
【０００９】
また、請求項３のように、仕切壁を１つずつ取り外し可能に設けるようにしても良い。この場合、本体箱内のうち手前側の商品が売れて無くなる毎に、その後方の仕切壁を取り外すことで、後側の商品が仕切壁で隠されることを防止することができ、箱内の商品を最後まで見易くすることができる。
【発明を実施するための最良の形態】
【００１０】
以下、本発明を実施するための最良の形態を２つの実施例１，２を用いて説明する。
【実施例１】
【００１１】
本発明の実施例１を図１乃至図３に基づいて説明する。
神具（榊立て、平次、水玉、皿、ローソク立て等）等の商品１１（図２及び図３参照）を収納するための商品包装箱１２は、図１に示すように、前後方向（奥行き方向）に長い縦長の形状に形成され、上面側が開口された本体箱１３に上蓋１４を被せる構成となっている。これらの本体箱１３と上蓋１４は、それぞれ所定の展開形状に形成された１枚の段ボール紙等の紙材を折り曲げて形成されている。また、本体箱１３は、前面側上角部が斜めに切除された形状に形成されることで、前面壁１３ａが側面壁１３ｂよりも低くなるように形成されている。
【００１２】
図２及び図３に示すように、本体箱１３内には、複数（例えば４つ）の仕切壁１５が前後方向に所定間隔で配置され、これらの仕切壁１５によって複数（例えば５つ）の収納スペース１６が前後方向に１列で仕切り形成されている。本実施例１では、前側の複数（例えば２つ）の仕切壁１５が、帯状に形成された１枚の段ボール材等の紙材を折り曲げることで一体的に形成されていると共に、後側の複数（例えば２つ）の仕切壁１５が、帯状に形成された１枚の段ボール紙等の紙材を折り曲げることで一体的に形成され、各仕切壁１５がそれぞれ根元部の折り曲げ線を基線にして前後方向に折り畳み可能に設けられている。
【００１３】
以上のように構成した商品包装箱１２は、商品１１を製造元や卸業者等から小売店等に輸送する際には、本体箱１３内に仕切壁１５によって仕切り形成された各収納スペース１６に、それぞれ商品１１を１つずつ収納して上蓋１４を被せることで、複数の商品１１を輸送時の振動・衝撃から保護する梱包箱として使用する。
【００１４】
そして、商品１１を店頭で陳列する際には、本体箱１３から上蓋１４を取り外して本体箱１３を開放し、各収納スペース１６に商品１１を１つずつ収納した本体箱１３を、その前面壁１３ａを正面に向けて陳列棚等に載置することで、複数の商品１１を前後方向に１列に整列させた状態で陳列する陳列箱として兼用することができる。尚、本体箱１３から取り外した上蓋１４は、上下逆にして本体箱１３の底側から被せて保管するようにしても良い。
【００１５】
このように、本体箱１３をそのまま陳列箱として使用することで、本体箱１３から商品１１を１つずつ取り出して陳列棚等に並べる作業が不要となり、商品１１を効率良く陳列することができると共に、商品１１を間違えて並べたり、商品１１を誤って破損させてしまう等の不具合を未然に防止することができる。また、本体箱１３内に商品１１を収納した状態で陳列することで、同じ種類の商品１１毎に区画して陳列することができ、棚卸しの際の在庫調べを容易に行うことができるという利点もある。
【００１６】
しかも、本実施例１では、仕切壁１５を１つずつ前後方向に折り畳み可能にしたので、図３に示すように、本体箱１３内のうち手前側の商品１１が売れて無くなる毎に、その後方の仕切壁１５を折り畳むことで、後側の商品１１が仕切壁１５で隠されて見えなくなることを防止することができて、箱１３内の商品１１を最後まで見易くすることができ、商品１１の展示効果を向上させることができる。尚、前側の２つの商品１１が無くなった後に、前側の２つの仕切壁１５を取り外すようにしても良い。
【００１７】
また、本実施例１では、一枚の段ボール紙等の紙材を折り曲げることで複数の仕切壁１５を形成するようにしたので、紙材の折り曲げという簡単な方法で複数の仕切壁１５を一体的に形成することができ、製造・組立が容易で、低コスト化の要求を満たすことができる。
【００１８】
ところで、本体箱１３を比較的高い位置に陳列した場合には、前方から本体箱１３内の商品１１を見たり、取り出したりすることになるため、本体箱１３の前面壁１３ａが高過ぎると、その前面壁１３ａが邪魔になって本体箱１３内の商品１１を見にくくなったり、取り出しにくくなったりするおそれがある。
【００１９】
その点、本実施例１では、本体箱１３の前面壁１３ａが側面壁１３ｂよりも低くなるように形成したので、本体箱１３を比較的高い位置に陳列した場合でも、本体箱１３内の商品１１を前方から見易くすることができると共に、本体箱１３内の商品１１を前方から取り出し易くすることができる。
【００２０】
尚、上記実施例１では、前側の複数の仕切壁１５を１枚の紙材で一体的に折り曲げ形成すると共に、後側の複数の仕切壁１５を１枚の紙材で一体的に形成するようにしたが、各仕切壁１５をそれぞれ１枚の紙材で折り曲げ形成するようにしても良い。或は、全ての仕切壁１５を１枚の紙材で一体的に折り曲げ形成するようにしても良い。
【００２１】
また、各仕切壁１５を紙材の折り曲げにより２重壁構造にすれば、その折り曲げ部分のスプリングバック効果により各仕切壁１５と各商品１１との間のクッション効果やガタツキ防止効果（梱包材としての効果）を高めることができ、輸送時の振動・衝撃による商品１１の破損防止効果を高めることができる。
【実施例２】
【００２２】
次に、図４を用いて本発明の実施例２を説明する。但し、前記実施例１と実質的に同一部分には同一符号を付して説明を簡略化し、主として前記実施例１と異なる部分について説明する。
【００２３】
本実施例２では、図４に示すように、各仕切壁１７が、それぞれ１枚の段ボール材等の紙材で四角形の平板状に形成され、本体箱１３の各側面壁１３ｂの内面側に、それぞれ仕切壁１７を保持するための保持溝１８が前後方向に所定間隔で形成されている。そして、各側面壁１３ｂの保持溝１８に、それぞれ仕切壁１７の端部を差し込み保持させることで、仕切壁１７が１つずつ取り外し可能に設けられている。尚、各仕切壁１７をそれぞれ１枚の紙材の折り曲げにより２重壁構造にしても良いことは言うまでもない。
【００２４】
以上説明した本実施例２では、仕切壁１７を１つずつ取り外し可能に設けるようにしたので、本体箱１３内のうち手前側の商品１１が売れて無くなる毎に、その後方の仕切壁１７を取り外すことで、後側の商品１１が仕切壁１５で隠されて見えなくなることを防止することができ、前記実施例１（仕切壁１５を折り畳む構成）と同様の商品展示効果を得ることができる。
【００２５】
尚、前記実施例１において、各仕切壁１５をそれぞれ１枚の紙材で折り曲げ形成することで、仕切壁１５を１つずつ取り外し可能に設けるようにしても良い。
また、上記各実施例１，２では、本体箱１３内に前後方向に並ぶ収納スペース１６の列を１列のみ形成するようにしたが、前後方向に並ぶ収納スペース１６の列を２列以上横並びに形成するようにしても良い。
【００２６】
また、上記各実施例１，２では、本体箱１３と上蓋１４と仕切壁１５（又は１７）を紙材で形成するようにしたが、これに限定されず、本体箱、上蓋、仕切壁を紙材以外の材料（例えば、木、樹脂、金属等）で形成するようにしても良い。
【００２７】
また、本発明の適用範囲は、神具を収納する包装箱に限定されず、本発明は、神具以外の種々の商品（例えば、食器、文房具、日用品、食品等）を収納する包装箱に広く適用して実施することができる。
【図面の簡単な説明】
【００２８】
【図１】本発明の実施例１における商品包装箱の外観斜視図である。
【図２】実施例１の仕切壁を折り畳む前の状態を示す本体箱の縦断側面図である。
【図３】実施例１の仕切壁を折り畳んだ状態を示す本体箱の縦断側面図である。
【図４】実施例２における本体箱の平面図である。
【符号の説明】
【００２９】
１１…商品、１２…商品包装箱、１３…本体箱、１４…上蓋、１５…仕切壁、１６…収納スペース、１７…仕切壁、１８…保持溝
【図１】
2007055653.tif 000003
【図２】
2007055653.tif 000004
【図３】
2007055653.tif 000005
【図４】
2007055653.tif 000006